(57)【要約】【課題】広帯域特性を維持しつつ小型化を図ったボウタイアンテナを提供する。【解決手段】第１の導体１１及び第２の導体１２が、二等辺三角形状に設けられる。この第１の導体１１及び第２の導体１２は、等しい一対Ｖ1、Ｖ2の辺が成す頂点Ｔ1が互いに対向し、かつ、底辺Ｖ3が互いに平行になるように、配置されている。折返し部１３は、直線状に設けられ、辺Ｖ1と底辺Ｖ3との成す頂点Ｔ2同士を結ぶと共に、底辺Ｖ3間の中心を通る底辺Ｖ3と平行な直線Ｌ1上の点で頂点Ｔ1から離れる方向に向かって曲げられる。折返し部１４は、直線状に設けられ、辺Ｖ2と底辺Ｖ3との成す頂点Ｔ3同士を結ぶと共に、底辺Ｖ3間の中心を通る底辺Ｖ3と平行な直線Ｌ1上の点で頂点Ｔ1から離れる方向に向かって曲げられる。【選択図】図１
2011193432.tif 000002
【特許請求の範囲】
【請求項１】
二等辺三角形状に設けられた第１の導体及び第２の導体を備え、前記第１の導体及び前記第２の導体の等しい一対の辺が成す頂点が互いに対向し、かつ、前記第１の導体及び前記第２の導体の等しい一対の辺以外の底辺が互いに平行になるように、前記第１の導体及び前記第２の導体が配置されたボウタイアンテナにおいて、
前記第１の導体及び前記第２の導体の等しい一対の辺の一方と前記底辺との成す頂点同士を結ぶ第３の導体と、
前記第１の導体及び前記第２の導体の等しい一対の辺の他方と前記底辺との成す頂点同士を結ぶ第４の導体と、を備え、
前記第３の導体及び前記第４の導体の内側の縁部が、前記第１の導体及び前記第２の導体の底辺間の中心を通る前記底辺と平行な直線に近づくに従って互いに離れるように設けられている
ことを特徴とするボウタイアンテナ。
【請求項２】
前記第３の導体及び前記第４の導体が、前記第１の導体及び前記第２の導体の底辺間の中心を通る前記底辺と平行な直線上の点で前記第１の導体及び前記第２の導体の等しい一対の辺がなす頂点から離れる方向に向かって直線状に曲げられて形成されている
ことを特徴とする請求項１に記載のボウタイアンテナ。
【請求項３】
前記第３の導体及び前記第４の導体の外側の縁部が前記二等辺三角形の底辺と直交して設けられ、前記第３の導体及び前記第４の導体の幅が、前記第１の導体及び前記第２の導体の底辺間の中心を通る前記底辺と平行な直線に近づくに従って狭くなるように設けられている
ことを特徴とする請求項１に記載のボウタイアンテナ。
【請求項４】
前記第３の導体及び前記第４の導体の内側の縁部が、円弧状に設けられている
ことを特徴とする請求項３に記載のボウタイアンテナ。
【発明の詳細な説明】
【技術分野】
【０００１】
本発明は、ボウタイアンテナに係り、特に、二等辺三角形状に設けられた第１の導体及び第２の導体を備え、前記第１の導体及び前記第２の導体の等しい一対の辺が成す頂点が互いに対向し、かつ、前記第１の導体及び前記第２の導体の等しい一対の辺以外の底辺が互いに平行になるように、前記第１の導体及び前記第２の導体が配置されたボウタイアンテナに関するものである。
【背景技術】
【０００２】
上述したボウタイアンテナ１として、例えば図１０に示されたものが提案されている。同図に示すように、ボウタイアンテナ１は、第１の導体１１と第２の導体１２とを備えている。上記第１の導体１１及び第２の導体１２は各々、二等辺三角形状に設けられている。そして、二等辺三角形の等しい一対の辺Ｖ1、Ｖ2が成す頂点Ｔ1が互いに対向するように、第１の導体１１及び第２の導体１２が配置されている。
【０００３】
また、上記第１の導体１１及び第２の導体１２の等しい一対の辺Ｖ1、Ｖ2以外の底辺Ｖ3が互いに平行になるように、第１の導体１１及び第２の導体１２が配置されている。上記第１の導体１１及び第２の導体１２の頂点Ｔ1が各々給電点となり、この給電点からボウタイアンテナ１に入射電力が供給される。上述したボウタイアンテナ１においては、二等辺三角形の頂点Ｔ1の角度θ1が特性インピーダンスを決め、頂点Ｔ1と底辺Ｖ3との長さｘ1が最低動作周波数を決める。
【０００４】
例えば、長さｘ1＝１６０ｍｍ、長さｘ2＝１２０ｍｍのボウタイアンテナ１は、特性インピーダンスが２００Ωとなり、ＶＳＷＲ≦２となる最低周波数は６００ＭＨｚ程度となり、この６００ＭＨｚよりも上の周波数でＶＳＷＲ≦２を維持することができる。図１０に示すボウタイアンテナ１は、同じ長さ１６０ｍｍのダイポールアンテナに比べて広帯域特性が得られるが、ダイポールアンテナに比べてアンテナ面積が著しく大きくなる、という問題があった。
【０００５】
上記問題を解決するために、図１１（Ａ）に示すように１本の折返し部２０を設けたボウタイアンテナ１が提案されている（例えば特許文献１）。長さｘ1＝１６０ｍｍ、長さｙ1＝１２０ｍｍの図１１（Ａ）に示す折返し部２０（１本）付のボウタイアンテナ１は、４００ＭＨｚ以上の周波数でＶＳＷＲ≦２を維持することができ、同じ大きさの図１０に示すボウタイアンテナ１よりも広帯域を得ることができ、小型化を図ることができる（即ち、図１０に示すボウタイアンテナ１で４００ＭＨｚ以上の周波数でＶＳＷＲ≦２を維持する特性を得るためには、長さｘ2を１２０ｍｍよりも大きくする必要がある）。
【０００６】
この最低動作周波数の低下による小型化度を下記の式（１）で表すと、図１１（Ａ）に示す折返し部２０（１本）付のボウタイアンテナ１は、図１０に示す折返し部なしのボウタイアンテナ１に比べて５５％に小型化できる。
｛（折返し部２０（１本）付のボウタイアンテナの最低動作周波数＝４００ＭＨｚ）／（折返し部などのボウタイアンテナの最低動作周波数＝５４０ＭＨｚ）｝2  …（１）
【０００７】
また、図１１（Ｂ）に示すように２本の折返し部２０を設けたボウタイアンテナ１が提案されている（例えば特許文献１）。長さｘ1＝１６０ｍｍ、長さｙ2＝１２０ｍｍの図１１（Ｂ）に示す折返し部２０（２本）付きのボウタイアンテナ１の周波数に対するＶＳＷＲ特性を図３中の実線で示す。この折返し部２０（２本）付きのボウタイアンテナ１（図１１（Ｂ））は、図３示すように、ＶＳＷＲが２以下に落ちる最低動作周波数は３５０ＭＨｚと図１０及び図１１（Ａ）に示すボウタイアンテナ１よりも低くすることができる。
【０００８】
この最低動作周波数の低下による小型化度を下記の式（２）で表すと、図１１（Ｂ）に示す折返し部２０（２本）付のボウタイアンテナ１は、図１０に示す折返し部なしのボウタイアンテナ１に比べて３１％に小型化できる。
｛（折返し部２０（２本）付のボウタイアンテナの最低動作周波数＝３００ＭＨｚ）／（折返し部などのボウタイアンテナの最低動作周波数＝５４０ＭＨｚ）｝2  …（２）
しかしながら、９００ＭＨｚ付近でＶＳＷＲの劣化があるため帯域が制限され、ＶＳＷＲ≦２となる帯域が図１０及び図１１（Ａ）に示すボウタイアンテナ１よりも劣化してしまう、という問題があった。
【先行技術文献】
【特許文献】
【０００９】
【特許文献１】特開２００９−１０４７１号公報
【発明の概要】
【発明が解決しようとする課題】
【００１０】
そこで、本発明は、帯域制限をなくすことにより、広帯域特性を維持しつつ小型化を図ったボウタイアンテナを提供することを課題とする。
【課題を解決するための手段】
【００１１】
上述した課題を解決するための請求項１記載の発明は、二等辺三角形状に設けられた第１の導体及び第２の導体を備え、前記第１の導体及び前記第２の導体の等しい一対の辺が成す頂点が互いに対向し、かつ、前記第１の導体及び前記第２の導体の等しい一対の辺以外の底辺が互いに平行になるように、前記第１の導体及び前記第２の導体が配置されたボウタイアンテナにおいて、前記第１の導体及び前記第２の導体の等しい一対の辺の一方と前記底辺との成す頂点同士を結ぶ第３の導体と、前記第１の導体及び前記第２の導体の等しい一対の辺の他方と前記底辺との成す頂点同士を結ぶ第４の導体と、を備え、前記第３の導体及び前記第４の導体の内側の縁部が、前記第１の導体及び前記第２の導体の底辺間の中心を通る前記底辺と平行な直線に近づくに従って互いに離れるように設けられていることを特徴とするボウタイアンテナに存する。
【００１２】
請求項２記載の発明は、前記第３の導体及び前記第４の導体が、前記第１の導体及び前記第２の導体の底辺間の中心を通る前記底辺と平行な直線上の点で前記第１の導体及び前記第２の導体の等しい一対の辺がなす頂点から離れる方向に向かって直線状に曲げられて形成されていることを特徴とする請求項１に記載のボウタイアンテナに存する。
【００１３】
請求項３記載の発明は、前記第３の導体及び前記第４の導体の外側の縁部が前記二等辺三角形の底辺と直交して設けられ、前記第３の導体及び前記第４の導体の幅が、前記第１の導体及び前記第２の導体の底辺間の中心を通る前記底辺と平行な直線に近づくに従って狭くなるように設けられていることを特徴とする請求項１に記載のボウタイアンテナに存する。
【００１４】
請求項４記載の発明は、前記第３の導体及び前記第４の導体の内側の縁部が、円弧状に設けられていることを特徴とする請求項３に記載のボウタイアンテナに存する。
【発明の効果】
【００１５】
以上説明したように請求項１記載の発明によれば、第３の導体及び第４の導体の内側の縁部が、二等辺三角形の底辺間の中心を通り底辺と平行な直線に近づくに従って互いに離れるように設けられているので、帯域制限をなくして、広帯域特性を維持しつつ小型化を図ることができる。
【００１６】
請求項２記載の発明によれば、等しい一対の辺がなす頂点から離れる方向に曲がる第３の導体及び第４の導体を設けることにより、帯域制限をなくして、広帯域特性を維持しつつ小型化を図ることができる。
【００１７】
請求項３記載の発明によれば、第３の導体及び第４の導体の外側の縁部が二等辺三角形の底辺と直交して設けられ、第３の導体及び第４の導体の幅が、第１の導体及び第２の導体の底辺間の中心を通る底辺と平行な直線に近づくに従って狭くなるように設けられているので、第３の導体及び第４の導体を互いに離れる方向に折り曲げることなく、帯域制限をなくすことができる。これにより、広帯域特性を維持しつつより一層小型化を図ることができる。
【００１８】
請求項４記載の発明によれば、第３の導体及び第４の導体の内側の縁部が、円弧状に設けられているので、アンテナの表面に流れる電流がスムーズに流れるため直線状に比べてＶＳＷＲ特性の改善を図ることができる。
【図面の簡単な説明】
【００１９】
【図１】第１実施形態における本発明品のボウタイアンテナを示す平面図である。
【図２】比較品としてのボウタイアンテナの平面図である。
【図３】比較品Ｂ1、Ｂ2、従来品Ｃ、本発明品Ａ1、Ａ2のボウタイアンテナの周波数に対するＶＳＷＲ特性を示すグラフである。
【図４】距離ｈfに対するＶＳＷＲの最悪値を示すグラフである。
【図５】第２実施形態における本発明品のボウタイアンテナを示す平面図である。
【図６】従来品Ｃ1〜Ｃ5のボウタイアンテナの周波数に対するＶＳＷＲ特性を示すグラフである。
【図７】本発明品Ａ3〜Ａ5のボウタイアンテナの周波数に対するＶＳＷＲ特性を示すグラフである。
【図８】第３実施形態における本発明品のボウタイアンテナを示す平面図である。
【図９】本発明品Ａ6〜Ａ8のボウタイアンテナの周波数に対するＶＳＷＲ特性を示すグラフである。
【図１０】従来のボウタイアンテナを示す平面図である。
【図１１】従来のボウタイアンテナを示す平面図である。
【発明を実施するための形態】
【００２０】
第１実施形態
以下、本発明の第１実施形態を図１〜図４に基づいて説明する。図１に示すように、ボウタイアンテナ１は、金属板から構成されている。ボウタイアンテナ１は、第１の導体１１、第２の導体１２、第３の導体、第４の導体としての折返し部１３及び１４を備えている。上記第１の導体１１及び第２の導体１２は、互いに同じ形、同じ大きさの二等辺三角形状に設けられている。上記第１の導体１１及び第２の導体１２の等しい一対の辺Ｖ1、Ｖ2が成す頂点Ｔ1が互いに対向するように、第１の導体１１及び第２の導体１２が配置されている。
【００２１】
また、上記第１の導体１１及び第２の導体１２の等しい一対の辺Ｖ1、Ｖ2以外の底辺Ｖ3が互いに平行になるように第１の導体１１及び第２の導体１２が配置されている。上記第１の導体１１及び第２の導体１２の頂点Ｔ1が各々給電点となり、この給電点からボウタイアンテナ１に入射電力が供給されている。
【００２２】
上記折返し部１３は、直線状に設けられていて、第１の導体１１及び第２の導体１２の等しい一対の辺Ｖ1、Ｖ2の一方である辺Ｖ1と底辺Ｖ3との成す頂点Ｔ2同士を結ぶと共に、第１の導体１１及び第２の導体１２の底辺Ｖ3間の中心を通る底辺Ｖ3と平行な直線Ｌ1上の点Ｔ4で頂点Ｔ1から離れる方向に向かって曲げられている。
【００２３】
また、上記折返し部１４は、直線状に設けられていて、第１の導体１１及び第２の導体１２の等しい一対の辺Ｖ1、Ｖ2の他方である辺Ｖ2と底辺Ｖ3との成す頂点Ｔ3同士を結ぶと共に、上記直線Ｌ1上の点Ｔ5で頂点Ｔ1から離れる方向に向かって曲げられている。なお、点Ｔ1−点Ｔ4間の距離と、点Ｔ1−点Ｔ5間の距離と、は互いに等しく設けられている。
【００２４】
即ち、折返し部１３、１４は、直線Ｌ1上の点で頂点Ｔ1から離れる方向に直線状に折り曲げることにより、その内側の縁部が直線Ｌ1に近づくに従って互いに離れるように設けられている。
【００２５】
次に、本発明者は、図１に示す本発明品Ａ1、Ａ2と、後述する図２に示す比較品Ｂ1、Ｂ2と、図１１（Ｂ）に示す従来品Ｃと、の周波数に対するＶＳＷＲをシミュレーションして、本発明の効果を確認した。結果を図３に示す。なお、本発明品Ａ1、Ａ2において、折返し部１３、１４は、長さｘ1＝１６０ｍｍ、長さｙ1＝１２０ｍｍの二等辺三角形に設けられている。また、折返し部１３、１４が曲げられる点Ｔ4、Ｔ5と第１の導体１１及び第２の導体１２の頂点Ｔ2、Ｔ3同士を結ぶ直線Ｌ2との距離ｈfが本発明品Ａ1は４０ｍｍ、本発明品Ａ2は２０ｍｍに設けられている。
【００２６】
また、本発明品Ａ1、Ａ2は、折返し部１３、１４が直線Ｌ1上の点で頂点Ｔ1から離れる方向に向かって曲げられているが、比較品Ｂ1、Ｂ2は、頂点Ｔ3同士を結ぶ折返し部１３、１４が設けられているが、その折返し部１３、１４が直線Ｌ1上の点Ｔ4、Ｔ5で頂点Ｔ1に近づく方向に向かって曲げられている。比較品Ｂ1、Ｂ2において、第１の導体１１及び第２の導体１２は、本発明品Ａ1、Ａ2と同様に長さｘ1＝１６０ｍｍ、長さｙ1＝１２０ｍｍの二等辺三角形に設けられている。また、折返し部１３、１４が曲げられる点Ｔ4、Ｔ5と第１の導体１１及び第２の導体１２の頂点Ｔ2、Ｔ3同士を結ぶ直線Ｌ2との距離ｈfが比較品Ｂ1は−４０ｍｍ（ここでは直線Ｌ2上を０として、頂点Ｔ1から離れる方向を＋、近づく方向を−としている。）、比較品Ｂ2は−２０ｍｍに設けられている。
【００２７】
また、従来品Ｃは、背景技術でも説明したように、曲げられていない一直線状の折返し部２０が２本設けられている。比較品Ｂ1、Ｂ2において、第１の導体１１及び第２の導体１２は、本発明品Ａ1、Ａ2と同様に長さｘ1＝１６０ｍｍ、長さｙ1＝１２０ｍｍの二等辺三角形に設けられている。
【００２８】
図３に示すように、従来品Ｃは、背景技術でも説明したように、９００ＭＨｚ付近でＶＳＷＲ＞２となる帯域制限がある。また、比較品Ｂ1、Ｂ2は、９００ＭＨｚ付近での帯域制限が従来品Ｃに比べてさらに劣化してしまう。しかも、距離ｈfが大きくなり、折返し部１３、１４の点Ｔ4、Ｔ5が頂点Ｔ1に近づくに従って、９００ＭＨｚでの帯域制限が悪化することが分かった。これに対して、本発明品Ａ1、Ａ2は、９００ＭＨｚ付近でのＶＳＷＲの上昇が小さく、ＶＳＷＲ≦２を維持することができ、帯域制限をなくすことができることが分かった。また、距離ｈfが大きくなり、折返し部１３、１４の点Ｔ4、Ｔ5が頂点Ｔ1から離れるに従って、より一層９００ＭＨｚでのＶＳＷＲの上昇を小さくできることが分かった。また、本発明品Ａ1、Ａ2は、従来品Ｃに比べて同様の面積で広帯域特性を改善することができた。
【００２９】
また、本発明者は、距離ｈfを変化させたときの９００ＭＨｚ付近のＶＳＷＲの最悪値をシミュレーションした。結果を図４に示す。このように折返し部１３、１４が第１の導体１１及び第２の導体１２の頂点Ｔ1から離れるに従ってＶＳＷＲの劣化が少なくなることが分かった。これは、折返し部１３、１４を流れる電流と第１の導体１１及び第２の導体１２を流れる電流とが、９００ＭＨｚ付近で逆位相になっているためと考えられる。このため、比較品Ｂ1、Ｂ2のように折返し部１３、１４が第１の導体１１及び第２の導体１２に近づくと打ち消しあい悪影響が出ているものと考えられる。また、図４からあきらかなようにｈf＞２０ｍｍ程度で、ＶＳＷＲの最悪値が２以下となり、帯域制限がなくなったことが分かる。
【００３０】
上述したボウタイアンテナ１によれば、頂点Ｔ1から離れる方向に曲がる折返し部１３、１４を設けることにより、帯域制限をなくして、広帯域特性を維持しつつ小型化を図ることができる。
【００３１】
第２実施形態
次に、本発明の第２実施形態を図５〜図７に基づいて説明する。第１実施形態と第２実施形態とで異なる点は、折返し部１３、１４の形状である。上述した第１実施形態では、折返し部１３、１４が、直線Ｌ1上の点で第１の導体１１及び第２の導体１２の等しい一対の辺Ｖ1、Ｖ2がなす頂点Ｔ1から離れる方向に向かって直線状に折り曲げることにより、その内側の縁部が直線Ｌ1に近づくに従って互いに離れるように設けられていた。
【００３２】
第２実施形態では、図５に示すように、折返し部１３、１４を折り曲げないで、その内側の縁部が直線Ｌ1に近づくに従って互いに離れるように円弧状に設けている。即ち、折返し部１３、１４の外側の縁部は、二等辺三角形の底辺Ｖ3と直交して設けられていて、折返し部１３、１４の幅が直線Ｌ1に近づくに従って狭くなるよう設けられている。
【００３３】
次に、本発明者は、図１に示す本発明品Ａ3〜Ａ5と、図１１（Ｂ）に示す従来品Ｃ1〜Ｃ5と、の周波数に対するＶＳＷＲをシミュレーションして、本発明の効果を確認した。結果を図６及び図７に示す。なお、本発明品Ａ3〜Ａ5において、折返し部１３、１４は、長さｘ1＝１６０ｍｍ、長さｙ1＝１２０ｍｍの二等辺三角形に設けられている。また、本発明品Ａ3〜Ａ5は、折返し部１３、１４の直線Ｌ1上の幅Ｗ1が３ｍｍに設けられていて、頂点Ｔ2、Ｔ3側の幅Ｗ2が本発明品Ａ3は３０ｍｍ、本発明品Ａ4は４０ｍｍ、本発明品Ａ5は５０ｍｍに設けられている。
【００３４】
また、従来品Ｃ1〜Ｃ5は、背景技術でも説明したように、幅が一定の一直線状の折返し部２０が２本設けられている。従来品Ｃ1〜Ｃ5において、第１の導体１１及び第２の導体１２は、本発明品Ａ3〜Ａ5と同様に長さｘ1＝１６０ｍｍ、長さｙ1＝１２０ｍｍの二等辺三角形に設けられている。また、従来品Ｃ1〜Ｃ5は、折返し部２０の幅Ｗが従来品Ｃ1は３ｍｍ、従来品Ｃ2は１０ｍｍ、従来品Ｃ3は２０ｍｍ、従来品Ｃ4は３０ｍｍ、従来品Ｃ5は４０ｍｍに設けられている。
【００３５】
図６に示すように、従来品Ｃ3〜Ｃ5は、背景技術でも説明したように、９００ＭＨｚ付近でＶＳＷＲ＞２となる帯域制限がある。また、従来品Ｃ1、Ｃ2は、９００ＭＨｚ付近での帯域制限がなくなるが全体的にＶＳＷＲが高くなってしまう。即ち、図１０に示す従来品では、折返し部２０の幅Ｗを大きくするに従って、９００ＭＨｚ付近での帯域制限が少なくなるが、全体のＶＳＷＲ特性が劣化することが分かった。
【００３６】
これに対して、本発明品Ａ3〜Ａ5は、９００ＭＨｚ付近でのＶＳＷＲの上昇が小さく、しかも全体的にＶＳＷＲをほぼ２以下に小さくでき、広帯域特性を得られることが分かった。これは、本発明品Ａ3〜Ａ5は、折返し部１３、１４の幅を大きくし、かつ、折返し部１３、１４と第１の導体１１及び第２の導体１２の距離を離すことができるためと考えられる。第２実施形態のボウタイアンテナ１によれば、第１実施形態のように折返し部１３、１４を直線Ｌ2よりも外側に設ける必要がなくなる分、小型化を図ることができる。また、第２実施形態のボウタイアンテナ１によれば、折返し部１３、１４の内側の縁部を円弧状に設けることにより、ボウタイアンテナ１表面に流れる電流をスムーズに流すことができるため、よりＶＳＷＲ特性の改善を図ることができる。
【００３７】
第３実施形態
次に、本発明の第３実施形態を図８及び図９に基づいて説明する。第２実施形態と第３実施形態とで異なる点は、折返し部１３、１４の形状である。上述した第２実施形態では、折返し部１３、１４の内側の縁部が直線Ｌ1に近づくに従って互いに離れるように円弧状に設けられていた。
【００３８】
第３実施形態では、図８に示すように、折返し部１３、１４の内側の縁部が直線Ｌ１に近づくに従って互いに離れるように直線状に設けられている。第３実施形態も第２実施形態と同様に、折返し部１３、１４の外側の縁部は、二等辺三角形の底辺Ｖ3と直交して設けられていて、折返し部１３、１４の幅が直線Ｌ1に近づくに従って狭くなるよう設けられている。
【００３９】
次に、本発明者は、図８に示す本発明品Ａ6〜Ａ8の周波数に対するＶＳＷＲをシミュレーションして、本発明の効果を確認した。結果を図９に示す。なお、本発明品Ａ6〜Ａ8において、折返し部１３、１４は、長さｘ1＝１６０ｍｍ、長さｙ1＝１２０ｍｍの二等辺三角形に設けられている。また、本発明品Ａ6〜Ａ8は、折返し部１３、１４の直線Ｌ1上の幅Ｗ1が３ｍｍに設けられていて、頂点Ｔ2、Ｔ3側の幅Ｗ2が本発明品Ａ6は２０ｍｍ、本発明品Ａ7は３０ｍｍ、本発明品Ａ8は４０ｍｍに設けられている。
【００４０】
折返し部１３、１４の内側の縁部が直線状の本発明品Ａ6〜Ａ8は、折返し部１３、１４の内側の縁部が円弧状の本発明品Ａ3〜Ａ5に比べてＶＳＷＲ特性は若干劣化するものの、９００ＭＨｚ付近でのＶＳＷＲの上昇が小さく、しかも全体的にＶＳＷＲをほぼ２以下に小さくでき、広帯域特性を得られることが分かった。また、第３実施形態のボウタイアンテナ１によれば、第１実施形態のように折返し部１３、１４を直線Ｌ2よりも外側に設ける必要がなくなる分、小型化を図ることができる。
【００４１】
なお、上述した実施形態では、第１の導体１１及び第２の導体１２の頂点Ｔ1が互いに接して設けられていたが、本発明はこれに限ったものではない。例えば、第１の導体１１の頂点Ｔ1と第２の導体１２の頂点Ｔ1とが離間して設けられていても良い。
【００４２】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４３】
１        ボウタイアンテナ
１１      第１の導体
１２      第２の導体
１３      折返し部（第３の導体）
１４      折返し部（第４の導体）
Ｖ1、Ｖ2  等しい一対の辺
Ｖ3       底辺
【図１】
2011193432.tif 000003
【図２】
2011193432.tif 000004
【図３】
2011193432.tif 000005
【図４】
2011193432.tif 000006
【図５】
2011193432.tif 000007
【図６】
2011193432.tif 000008
【図７】
2011193432.tif 000009
【図８】
2011193432.tif 000010
【図９】
2011193432.tif 000011
【図１０】
2011193432.tif 000012
【図１１】
2011193432.tif 000013